(57)【要約】      （修正有）【課題】高級感があり、再利用可能な贈呈用花の立て札を提供する。【解決手段】表面にメッセージ及び送り主の名称が記され、かつ、裏面には表面とは異なる情報が記されている木材でできた板からなる本体部１１と、上記本体部１１の厚みより僅かに大きい厚みの溝を備えたフレーム部及び棒からなる第１形態用支持部と、一端部に上記本体部１１の厚みより僅かに大きい厚みの溝を備えた棒であり、かつ、上記第１形態用支持部よりも短いことを特徴とする第２形態用支持部１３と、花の立て札として用いる場合は第１形態用支持部の溝に上記本体部１１を挟み込んだ状態で利用し、花が不要となった後は記念プレートとして第２形態用支持部１３の溝に上記本体部１１を挟み込んだ状態で利用する。【選択図】図２
0003204060.tif 000002
【実用新案登録請求の範囲】
【請求項１】
表面にメッセージ及び送り主の名称が記され、かつ、裏面には表面とは異なる情報が記されている木材でできた板と、
上記板の厚みより僅かに大きい厚みの溝を備えたフレーム部及び棒からなる第１形態用支持部と、
一端部に上記板の厚みより僅かに大きい厚みの溝を備えた棒であり、かつ、上記第１形態用支持部よりも短いことを特徴とする第２形態用支持部と、
花の立て札として用いる場合は第１形態用支持部の溝に上記板を挟み込んだ状態で利用し、
花が不要となった後は記念プレートとして第２形態用支持部の溝に上記板を挟み込んだ状態で利用することを特徴とする贈呈用花の立て札。
【考案の詳細な説明】
【技術分野】
【０００１】
本考案は、開店祝い、周年祝い、葬礼等の際に用いられる花輪、花束、フラワーアート等に付する立て札に関し、特に使い捨てることなく永く利用可能な立て札に関する。
【背景技術】
【０００２】
このような行事に際して贈られる花には、贈呈者の名称等を記すとともにメッセージを記した立て札を花輪に差し込むための差し込み棒とともに添えられることがある。贈呈者が、花を贈呈したのが誰であるのかを表示することを希望する場合に広く行われており、この他にも花輪の下部に立て札を貼り付ける形態など、様々な方法で立て札を花のそばで掲示している。
【０００３】
開店や周年等の特別な場合ということもあり、胡蝶蘭をはじめとした希少で高級な花が選ばれる傾向があるが、立て札についてはあまり関心を払われることがない。その結果、通常の厚紙や、何らかの柄をプリントした厚紙、あるいは特許文献１にあるように吸水性のない素材が用いられていることが多い。
【０００４】
その為、立て札それ自体に価値を見出されることはなく、メッセージや贈呈者の名称を伝達するという機能にのみ価値が認められている。その結果として、花の寿命が尽きたり、他の花瓶等に移されるタイミングで立て札は廃棄されるのが通例である。
【先行技術文献】
【特許文献】
【０００５】
【特許文献１】特開平０５−３３９８０４号公報
【考案の概要】
【考案が解決しようとする課題】
【０００６】
そのため、立て札は１回きりの使用で使い捨てとなって不経済であるばかりか、立て札自体に高級感がないことから、せっかくの花の高級感とミスマッチとなってしまっていた。
【０００７】
本考案では、花の寿命が尽きた後にも継続して利用可能であるばかりか、高級感のある立て札と組み合わせることで、より満足度の高い贈呈用の花輪、花束を提供することを目的としている。
【課題を解決するための手段】
【０００８】
本考案の花用立て札は、立て札を一定の厚みをもつ木材で構成された板で構成しており、表面にメッセージ、贈呈者の名称等を刻印し、裏面には表面とは異なり特定時に限定されずに永く展示することに適した情報を刻印している。
【考案の効果】
【０００９】
本考案の花用立て札は、裏面に永く展示するに適した情報を刻印していることから、花の寿命が尽きた後は裏返して記念プレートとして永く利用可能であるばかりか、木材を用いている為、花と一体展示する際にも高級感を与えることが可能である。また、従来のように立て札を廃棄されることがなくなる為、ゴミが減少して経済的であるばかりか、贈呈者の思いを永く形として残すことが可能となる。
【図面の簡単な説明】
【００１０】
【図１】本考案の一実施形態に係る立て札の第１形態を示す図である。
【図２】本考案の一実施形態に係る立て札の第２形態を示す図である。
【考案を実施するための形態】
【００１１】
以下、図面を参照しながら本実施の形態に係る花用立て札を具体的に説明する。図１は本実施形態にかかる立て札１の斜視図である。
【００１２】
立て札は、第１形態及び第２形態の２つの形態を有している。第１形態は、本体部１１及び第１形態用支持部１２から構成され、立て札として用いられる。
【００１３】
本体部１１には、木材を用いることが好ましく、特にケヤキ等の強度を永く保つ見目麗しい木材が適している。どのようなサイズであってもよいがＡ４サイズ、Ｂ５サイズなどが特に適している。厚みは９ｍｍ程度が重量や見栄え、また本体部１単独で自立可能という点から好ましいが、これより厚くとも薄くともかまわない。また、厚みを上部と下部で異なるものとし、横から見た際に台形状となっていてもよい。
【００１４】
その表面には、メッセージとともに贈呈者の名称を刻印する。メッセージの内容は、各種慶弔や花を贈る目的にそった内容であり、例えば「祝  開店」や「祝  ２０周年」などである。
【００１５】
表面への刻印は、レーザー刻印やドリルを用いた削りだし、あるいは手彫りで行うことが好ましい。だが、表面は、花の寿命とともに展示が終了し、長期間の活用が想定されないことから、簡易に刻印を行ってもよい。例えば表面にフィルムを貼った上でプリントすることや、油性インキを用いて手書きを行うことで刻印してもよい。この場合、展示期間終了後にフィルムを剥がすことで、メッセージを取り去り、刻印の無い状態へ戻すことが可能となるメリットもある。
【００１６】
裏面には、長期間展示することに適したメッセージを刻印する。例えば、店の名称であったり、店で提供されるメニューであったり、贈呈者からの応援メッセージなどである。
【００１７】
裏面への刻印は、レーザー刻印やドリルを用いた削りだし、手彫りで行うことが好ましい。長期間展示することが想定されている為、深く彫ることで芸術性を高めるとなおよい。
【００１８】
第１形態用支持部１２には、木材を用いることが好ましいが、プラスティックやアルミニウム等で構成してもかまわない。図１に示すとおり棒状の直方体や円柱及び、フレーム部分から構成されており、フレーム部分に存する溝に本体をはめ込むことで、本体を安定した状態で担持する。
【００１９】
棒の長さは花の邪魔にならない程度の高さを確保できればよく、棒の太さ（縦及び横、あるいは直径）は本体部１１の重みを支えることができる程度を確保していればよい。フレーム部分の溝の幅は本体部１１の厚みに対応しており、本体部１１を差し込んだときに、安定させられる厚さ、長さであればよい。好ましくは、本体の厚みが９ｍｍの場合は９．１ｍｍの厚みで長さは２ｃｍ程度の溝である。
【００２０】
第１形態用支持部１２の役割は、本体部１１を支えることに尽きるため、図１に示す形態に限られるものではない。例えばフレーム部分は凹状ではなく一直線とした形態（棒と合わせてT字型となる）であっても差し支えないことは当然である。また、フレーム部分の中央に３ｍｍ程度の凸部、本体部１１の下面には対応する凹部を設けてもよい。両者が噛みあうことで、極めて安定させることができる。この場合、フレーム部分を省略して棒に直接凸部を設けることとしてもよい。
【００２１】
第１形態は、花輪や花束、フラワーアートに刺し込み、あるいは側に立てかける為の形態であり、表面を掲示することが望ましい。花には寿命があり、寿命の長い花であっても数週間もすれば枯れる。花を掲示できなくなったタイミングで立て札を第２形態へと転換させる。
【００２２】
第２形態は、図２に示すとおり、本体部１１と第２形態用支持部１３から構成されており、記念プレートとして用いられる。
【００２３】
第２形態用支持部１３は、本体部１１を支える足として機能し、第１形態用支持部よりも長さが短いことが望ましい。第１形態は花輪、花束等に差し込む形で利用するが、第２形態は、テーブル等に設置する為に利用されることが想定される為である。ただし、床に設置する場合等で視線の高さを考慮する場合などは、第１形態用支持部と同様の長さであっても差し支えない。
【００２４】
第２形態用支持部１３には、木材を用いることが好ましいが、プラスティックやアルミニウム等で構成してもかまわない。テーブルに設置した際に見栄えがよくなるよう、一辺が２０ｍｍ程度の立方体、あるいは半径１０ｍｍ程度、高さ２０ｍｍ程度の円柱であり、かつ、一方端に溝を有している。溝の幅は本体部１１の厚みに対応しており、本体部１１を差し込んだときに、安定させられる厚さであればよく、好ましくは本体の厚みが９ｍｍの場合は９．１ｍｍの厚みであることは、第１形態用支持部１２の溝と同様である。ただし、第２形態支持部自体の高さが低い為、溝の長さは１ｃｍ程度に留めることが好ましい。
【００２５】
第２形態用支持部１３は１つであってもかまわないが、図２に示すとおり２つ備えることで、安定して本体部１１を支えることが可能になるばかりか、見栄えもよい。なお、第２形態用支持部１３に３ｍｍ程度の凸部、本体部１１の対応する箇所に凹部を設けてもよい。両者が噛みあうことで、極めて安定させることができる。
【００２６】
第２形態は、テーブル上に配置するための形態であり、花とは独立して立て札自身を展示するための形態である。花と異なり、永く展示することが可能であることから、それにふさわしい内容が刻印されている裏面を掲示することが望ましい。
【００２７】
以上では、表面及び裏面ともに刻印した状態で贈呈するものとしたが、より受け取り側の意向にそったものとすべく、贈呈時に、表面ではフィルム上への印字、裏面は無垢のままとしてもよい。そして、刻印業者の連絡先を合わせて贈呈するものとし、花を掲示できなくなったタイミングで、当該刻印業者へ本体部を送付し、受け取り側の希望する刻印を実施することで、受け取り側の意向にそった置物を実現できる。
【実施例１】
【００２８】
実施例１は、ケヤキを用いた花束用立て札である。ケヤキを縦２１０ｍｍ、横２９７ｍｍ、厚さ９ｍｍの直方体にて切り出した上で表面を磨いたものを本体部とした。表面には、「祝  開店  居酒屋割烹  おさけ様へ  株式会社立て板  代表取締役  立板  太郎」と、裏面には「居酒屋  割烹  おさけ」と公知の機器を用いてレーザー加工を行った。
【００２９】
第１形態支持部として、スギを縦４０ｍｍ、横４０ｍｍ、長さ５０ｃｍの直方体にて切り出した上で、一端に厚さ９．１ｍｍ、深さ２０ｍｍの溝を刻んだ。第２形態支持部として、ケヤキを縦２０ｍｍ、横２０ｍｍ、厚さ２０ｍｍの直方体にて切り出したうえで、一端に厚さ９．１ｍｍ、深さ１０ｍｍの溝を刻んだものを２つ製作した。
【００３０】
立て札を第１形態とした上で、５本立ての胡蝶蘭に差し込んだところ、ケヤキの立て札が胡蝶蘭と互いに引き立て、これまでにない高級感あふれる品となった。立て札を第２形態とした際には、店の雰囲気を引き立てる記念プレートとなり、先方にも大変喜ばれる贈呈品として永く機能することが確かめられた。
【００３１】
以上、本考案の実施形態について説明したが、本発明の実施形態の一部または全部は、以下の付記のように記載される。
［付記１］
表面にメッセージ及び送り主の名称が記され、かつ、裏面には表面とは異なる情報が記されている木材でできた板と、
上記板の厚みより僅かに大きい厚みの溝を備えたフレーム部及び棒からなる第１形態用支持部と、
一端部に上記板の厚みより僅かに大きい厚みの溝を備えた棒であり、かつ、上記第１形態用支持部よりも短いことを特徴とする第２形態用支持部と、
花の立て札として用いる場合は第１形態用支持部の溝に上記板を挟み込んだ状態で利用し、
花が不要となった後は記念プレートとして第２形態用支持部の溝に上記板を挟み込んだ状態で利用することを特徴とする贈呈用花の立て札。
【符号の説明】
【００３２】
１  立て札
１１  本体部
１２  第１形態用支持部
１３  第２形態用支持部
【図１】
0003204060.tif 000003
【図２】
0003204060.tif 000004